(57)【要約】【課題】捩り振動を吸収・減衰するためのコイルスプリングの他の部材との摺動抵抗を減らし、摩耗や音振性能の悪化を抑制する。【解決手段】フロート体７は、捩り振動を吸収・減衰するためのものであって、小コイルスプリング２８と、小コイルスプリングの外側面を覆う覆い部材２９とを備えている。【選択図】      図３
2004183871.tif 000002
【特許請求の範囲】
【請求項１】
捩り振動を吸収・減衰するためのスプリングであって、
コイルスプリングと、
前記コイルスプリングの外側面を覆う摩耗低減用覆い部材と、
を備えたスプリング。
【請求項２】
前記覆い部材はさらに前記コイルスプリングの各コイルの線間に充填されている、請求項１に記載のスプリング。
【請求項３】
前記覆い部材はさらに前記コイルスプリングの各コイルの内部に充填されている、請求項２に記載のスプリング。
【請求項４】
前記覆い部材は、前記コイルスプリングの外側面に装着された弾性筒状部材である、請求項１に記載のスプリング。
【請求項５】
前記覆い部材は、弾性樹脂又はゴムからなる、請求項１〜４のいずれかに記載のスプリング。
【請求項６】
外側コイルスプリングと、
請求項１〜５のいずれかに記載の前記スプリングであって、前記外側スプリング内に配置された内側スプリングと、
を備えたスプリング組立体。
【請求項７】
前記内側スプリングの自由長は前記外側コイルスプリングの自由長より短い、請求項６に記載のスプリング組立体。
【請求項８】
第１回転部材と、
第２回転部材と、
請求項７に記載の前記スプリング組立体であって、前記第１回転部材と前記第２回転部材が相対回転すると回転方向に圧縮されるスプリング組立体とを備え、
前記内側スプリングは、前記第１回転部材と前記第２回転部材の捩じり角度が大きくなっていくと、やがて回転方向に圧縮されてストッパートルクを発生させる、
ダンパー機構。
【発明の詳細な説明】
【０００１】
【発明の属する技術分野】
本発明は、コイルスプリング、特に、捩り振動を吸収・減衰するためのものに関する。本発明は、さらに、コイルスプリングを用いたコイルスプリング組立体及びダンパー機構に関する。
【０００２】
【従来の技術】
車両のクラッチディス組立体、フライホイール組立体、トルクコンバータのロックアップクラッチ等のダンパー機構には、捩り振動を吸収・減衰するためにコイルスプリング等のばね部材が用いられている。
コイルスプリングは、入力側回転部材及び出力側回転部材の窓部内に回転方向に長く延びるように配置されている。コイルスプリングは、回転方向両端が窓部の円周方向縁に支持され、さらに半径方向及び軸方向も窓部によって支持されている。したがって、入力側回転部材と出力側回転部材が互いに捩じれると、一方の窓部の回転方向縁と他方の窓部の回転方向縁との間でコイルスプリングは圧縮される。
【０００３】
また、コイルスプリングの種類としては、コイルスプリングが二重に配置された親子ばねが知られている。親子ばねの場合は、外周側コイルスプリング内に内周側コイルスプリングが配置されている。両者が圧縮されることによって、単体の場合に比べて剛性が高くなり、発生する荷重も大きくなる。さらに、内周側スプリングの自由長が外周側スプリングの自由長より短い場合は、捩り角度の小さな範囲では外周側スプリングのみが圧縮され、捩じり角度の大きな範囲では外周側スプリングとともに内周側スプリングも圧縮され、高荷重を発生する。
【０００４】
【発明が解決しようとする課題】
前記従来のコイルスプリングでは、コイルスプリングは捩り振動によって圧縮される際に遠心力によって外周側に移動することで、各回転部材の窓部の外周側縁に摺動する。このため、コイルスプリングの外側面が摩耗し、寿命が短くなってしまう。
【０００５】
また、親子ばねの場合は、内周側コイルスプリングは、捩り振動によって圧縮される際に遠心力によって外周側に移動することで、外周側コイルスプリングの内周面に摺動する。この摺動抵抗によるヒステリシストルクは、ダンパー機構をソリッドな特性としてしまうため、音振動性能を悪化させる原因となる。
本発明の課題は、捩り振動を吸収・減衰するためのコイルスプリングの他の部材との摺動抵抗を減らし、摩耗や音振性能の悪化を抑制することにある。
【０００６】
【課題を解決するための手段】
請求項１に記載のスプリングは、捩り振動を吸収・減衰するためのものであって、コイルスプリングと、コイルスプリングの外側面を覆う摩耗低減用覆い部材とを備えている。
このスプリングでは、摩耗低減用覆い部材がコイルスプリングの外側面を覆っているため、他の部材に摺動してもコイルスプリングが摩耗しにくい。ここでいう他の部材とは、他のコイルスプリング、コイルスプリングを支持する回転部材等である。
【０００７】
請求項２に記載のスプリングでは、請求項１において、覆い部材はさらにコイルスプリングの各コイルの線間に充填されている。
このスプリングでは、請求項１の効果に加えてさらに、覆い部材は各コイルの間に充填されているため、覆い部材の外周面が摩耗した場合でも、スプリング全体の強度を高く維持できる。
【０００８】
請求項３に記載のスプリングでは、請求項２において、覆い部材はさらにコイルスプリングの各コイルの内部に充填されている。
このスプリングでは、請求項２の効果に加えてさらに、覆い部材が各コイルの内部に充填されているため、圧縮時にコイルスプリングの荷重に加えて覆い部材による荷重を得ることができる。
【０００９】
請求項４に記載のスプリングでは、請求項１において、覆い部材は、コイルスプリングの外側面に装着された弾性筒状部材である。
このスプリングでは、覆い部材がコイルスプリングの外周面に装着されているため、他の部材に摺動してもコイルスプリングが摩耗しにくい。
請求項５に記載のスプリングでは、請求項１〜４のいずれかにおいて、覆い部材は、弾性樹脂又はゴムからなる。
【００１０】
このスプリングでは、覆い部材は、弾性樹脂又はゴムからなるため、コイルスプリングとともにたわみ可能である。
請求項６に記載のスプリング組立体は、外側コイルスプリングと、請求項１〜５のいずれかに記載のスプリングであって、外側コイルスプリング内に配置された内側スプリングとを備えている。
【００１１】
このスプリング組立体では、摩耗低減用覆い部材がコイルスプリングの外側面を覆っているため、内側スプリングが外側コイルスプリングに摺動してもコイルスプリングが摩耗しにくい。
請求項７に記載のコイルスプリング組立体では、請求項６において、内側スプリングの自由長は外側コイルスプリングの自由長より短い。
【００１２】
このコイルスプリング組立体では、自由状態において、内周側スプリングは外周側スプリング内で自由に移動可能である。しかし、摩耗低減用覆い部材がコイルスプリングの外側面を覆っているため、外周側スプリングとの摺動で生じる音・振動が低減される。
請求項８に記載のダンパー機構は、第１回転部材と、第２回転部材と、請求項７に記載のスプリング組立体とを備えている。スプリング組立体は、第１回転部材と第２回転部材が相対回転すると回転方向に圧縮される。内周側スプリングは、第１回転部材と第２回転部材の捩じり角度が大きくなっていくと、やがて回転方向に圧縮されてストッパートルクを発生させる。
【００１３】
このダンパー機構では、内周側スプリングはストッパートルクを発生させるための部材として機能している。
【００１４】
【発明の実施の形態】
図１及び図２は、本発明の一実施形態が採用されたクラッチディスク組立体１を示している。クラッチディスク組立体１は、主に、クラッチ機能とダンパー機能とを有しているが、ここではダンパー機能について主に説明する。
クラッチディスク組立体１は、主に、入力側の一対のプレートであるクラッチプレート１１とリティーニングプレート１２と、ハブフランジ１３と、それらを回転方向に連結するスプリング組立体１４とから構成されている。
【００１５】
クラッチプレート１１及びリティーニングプレート１２は、概ね円板状の部材であり、軸線方向に所定間隔を空けて対向している。両プレート１１，１２の外周部は複数のストッパーピン１６によって固定され、これにより一体回転するようになっている。各プレート１１，１２には、円周方向に並んで複数の（４つの）窓部１１ａ，１２ａがそれぞれ形成されている。窓部１１ａ，１２ａは、円周方向に比較的長く延びる孔部であり、その孔の縁には軸方向外側に起こされた支持部が形成されている。
【００１６】
ハブフランジ１３は、プレート１１，１２の軸方向間に相対回転可能に配置された概ね円板状の部材である。ハブフランジ１３には、プレート１１，１２の窓部１１ａ，１２ａに対応した位置に窓孔１３ａが形成されている。窓孔１３ａは、円周方向に比較的長く延びる孔部であり、窓部１１ａ，１２ａに対応した形状である。
【００１７】
スプリング組立体１４は、プレート１１，１２とハブフランジ１３とを回転方向に弾性的に連結するための部材であり、窓部１１ａ，１２ａ及び窓孔１３ａ内にそれぞれ配置されている。スプリング組立体１４は、主に、大コイルスプリング２１と、スプリングシート２２とから構成されている。大コイルスプリング２１はダンパー機構において捩り振動を吸収・減衰するための部材であり、円周方向に延びている。スプリングシート２２は、大コイルスプリング２１の円周方向両側端部に配置され、さらに窓部１１ａ，１２ａ及び窓孔１３ａの円周方向端部の縁に当接している。
【００１８】
スプリングシート２２は、シート本体２４から構成されている。シート本体２４は、大コイルスプリング２１のトルクを受けるための部分であり、高強度材料からなることが好ましく、例えば金属製である。シート本体２４は、大コイルスプリング２１の円周方向端部を受ける支持部２４ａと、支持部２４ａの中心から大コイルスプリング２１内に延びる突出部２４ｂと、大コイルスプリング２１の円周方向端部のダンパー半径方向内側を覆う第１覆い部２４ｃと、大コイルスプリング２１の円周方向端部のダンパー半径方向外側を覆う第２覆い部２４ｄとを有している。第１覆い部２４ｃは座巻き分に対応した長さしか有していないが、第２覆い部２４ｄは、さらに長く延びており、先端が端から２つめのコイルにかかる位置にある。
【００１９】
スプリング組立体１４は、さらに、フロート体２７を有している。フロート体２７は、ダンパー機構においてストッパートルクを実現するための部材である。フロート体２７は、大コイルスプリング２１の内側に配置されており、スプリングシート２２の突出部２４ｂ間で円周方向に移動可能になっている。フロート体２７は、小コイルスプリング２８と、それに一体に成形された覆い部材２９とから構成されている。覆い部材２９は、弾性樹脂又はゴムからなる筒状部材であり、小コイルスプリング２８とともに円周方向に圧縮可能である。覆い部材２９は、小コイルスプリング２８のコイル部分を内部に閉じこめている。
【００２０】
このクラッチディスク組立体１にエンジンからのトルク変動が入力されると、プレート１１，１２とハブフランジ１３が相対回転し、その間で大コイルスプリング２１が圧縮される。プレート１１，１２とハブフランジ１３の捩じり角度が大きくなると、やがてフロート体２７がスプリングシート２２同士の間で圧縮される。このとき、小コイルスプリング２８のみならず覆い部材２９も圧縮されて、大きなトルクを発生する。
【００２１】
また、小コイルスプリング２８の外周面は覆い部材２９によって覆われているため、フロート体７が大コイルスプリング２１の内周面に摺動しても小コイルスプリング２８は摩耗しにくい。
さらに、覆い部材２９は、小コイルスプリング２８の外周面を覆い、さらに各コイルの線間に充填されているため、覆い部材２９の外周面が摩耗した場合でも、フロート体２７全体の強度を高く維持できる。
【００２２】
他の実施形態としては、図４に示すフロート体３１は、小コイルスプリング３２と、そのコイル線間のみならずコイル内側まで充填された覆い部材３３とから構成されている。覆い部材３３は、弾性樹脂又はゴムからなる円柱形状部材であり、小コイルスプリング３２とともに円周方向に圧縮可能である。このフロート体３１では、覆い部材３３が各コイル間及び内側に充填されているため、圧縮時に小コイルスプリング３２の荷重に加えて覆い部材３３による荷重を得ることができる。
【００２３】
さらに、他の実施形態として、図５に示すフロート体３６は、小コイルスプリング３７と、その外周面に装着された覆い部材３８とから構成されている。覆い部材３８は弾性樹脂又はゴムからなる筒状部材であり、小コイルスプリング３７とともに円周方向に圧縮可能である。覆い部材３８によって、フロート体３６が外側のコイルスプリングに摺動しても、小コイルスプリング３７が摩耗しない。
【００２４】
本発明は、前記実施形態に限定されず、本発明の技術的思想の範囲内で様々な変形が可能である。
【００２５】
【発明の効果】
本発明に係るスプリングでは、摩耗低減用覆い部材がコイルスプリングの外側面を覆っているため、他の部材に摺動してもコイルスプリングが摩耗しにくい。
【図面の簡単な説明】
【図１】本発明の一実施形態が採用されたクラッチディスク組立体の縦断面概略図。
【図２】本発明の一実施形態が採用されたクラッチディスク組立体の平面図。
【図３】図２の部分拡大図であり、スプリング組立体の横断面。
【図４】他の実施形態におけるフロート体の横断面図。
【図５】さらに他の実施形態におけるフロート体の横断面図。
【符号の説明】
２７    フロート体（スプリング）
２８    小コイルスプリング（コイルスプリング）
２９    覆い部材（摩耗低減用覆い部材）
【図１】
2004183871.tif 000003
【図２】
2004183871.tif 000004
【図３】
2004183871.tif 000005
【図４】
2004183871.tif 000006
【図５】
2004183871.tif 000007